(57)【要約】【課題】  複数の物理量を表示することができ、且つ、視認性が良好な指示計器装置を提供する。【解決手段】  表示器２は、第一の指標部２ａ及び第二の指標部２ｂを表示する。指針３は、第一の指標部２ａを指示する第一の指示部３ａ及び第二の指標部２ｂを指示する第二の指示部３ｂを有する。制御手段４は、第一の物理量に応じて表示器２に表示する第一の指標部２ａを移動させると共に、第二の物理量に応じて表示器２に表示する第二の指標部２ｂを移動させる。第一の指標部２ａを第一の指示部３ａにて指示することにより第一の物理量を表示すると共に、第二の指標部２ｂを第二の指示部３ｂにて指示することにより第二の物理量を表示する。制御手段４は、第一の指標部２ａと第二の指標部２ｂとを同心円状に表示させる。【選択図】  図１
2010190577.tif 000002
【特許請求の範囲】
【請求項１】
第一の指標部及び第二の指標部を表示する表示器と、前記第一の指標部を指示する第一の指示部と、前記第二の指標部を指示する第二の指示部と、第一の物理量に応じて前記表示器に表示する前記第一の指標部を移動させると共に、第二の物理量に応じて前記表示器に表示する前記第二の指標部を移動させる制御手段と、を備え、前記第一の指標部を前記第一の指示部にて指示することにより前記第一の物理量を表示すると共に、前記第二の指標部を前記第二の指示部にて指示することにより前記第二の物理量を表示することを特徴とする指示計器装置。
【請求項２】
前記制御手段は、前記第一の指標部と前記第二の指標部とを同心円状に表示させることを特徴とする請求項１に記載の指示計器装置。
【請求項３】
前記制御手段は、前記第一の指標部を第一の色にて表示させ、前記第二の指標部を第二の色にて表示させることを特徴とする請求項１に記載の指示計器装置。
【請求項４】
前記第一の指示部は前記第一の色と同色系であり、前記第二の指示部は前記第二の色と同色系であることを特徴とする請求項３に記載の指示計器装置。
【発明の詳細な説明】
【技術分野】
【０００１】
本発明は、液晶表示器等の表示器を備えた指示計器装置に関するものである。
【背景技術】
【０００２】
従来より、指示計器装置が種々提案されており、例えば特許文献１に開示されている。斯かる指示計器装置１０は、回動する指針１１にて文字盤１２を指示することにより、車両速度及びエンジン回転数を表示するものである（図３参照）。指示計器装置１０の文字盤１２は、車両速度に対応する指標部１３が設けられた円盤状の固定部１４と、エンジン回転数に対応する指標部１５が設けられた円環状の可動部１６とを有している。
【０００３】
指示計器装置１０は、車両速度に応じて指針１１を回動させると共に、指針１１がエンジン回転数に応じた指標部１５を指示するように、文字盤１２の可動部１６を回動させることにより、車両速度及びエンジン回転数を表示する。指示計器装置１０は、単一の指針１１で車両速度及びエンジン回転数を表示できるので、速度計と回転計と独立して配置される計器装置に比べて占有スペースが小さく、且つ、視線移動量が少なくいため視認性が高い。
【先行技術文献】
【特許文献】
【０００４】
【特許文献１】特開２００６−２１４９９０号公報
【発明の概要】
【発明が解決しようとする課題】
【０００５】
しかしながら、指示計器装置１０は、エンジン回転数に対応する指標部１５を指針１１が正確に指示することができないため、車両運転者がエンジン回転数を見間違う虞があり、視認性向上のため、更なる改良が求められていた。
本発明は、複数の物理量を表示することができ、且つ、視認性が良好な指示計器装置を提供するものである。
【課題を解決するための手段】
【０００６】
本発明は、前記課題を解決するため、第一の指標部２ａ及び第二の指標部２ｂを表示する表示器２と、前記第一の指標部２ａを指示する第一の指示部３ａと、前記第二の指標部２ｂを指示する第二の指示部３ｂと、第一の物理量に応じて前記表示器２に表示する前記第一の指標部２ａを移動させると共に、第二の物理量に応じて前記表示器２に表示する前記第二の指標部２ｂを移動させる制御手段４と、を備え、前記第一の指標部２ａを前記第一の指示部３ａにて指示することにより前記第一の物理量を表示すると共に、前記第二の指標部２ｂを前記第二の指示部３ｂにて指示することにより前記第二の物理量を表示するものである。
【０００７】
また、本発明は、前記制御手段４は、前記第一の指標部２ａと前記第二の指標部２ｂとを同心円状に表示させるものである。
【０００８】
また、本発明は、前記制御手段４は、前記第一の指標部２ａを第一の色にて表示させ、前記第二の指標部２ｂを第二の色にて表示させるものである。
【０００９】
また、本発明は、前記第一の指示部３ａは前記第一の色と同色系であり、前記第二の指示部３ｂは前記第二の色と同色系である。
【発明の効果】
【００１０】
第一の指標部を第一の指示部にて指示することにより第一の物理量を表示すると共に、第二の指標部を第二の指示部にて指示することにより第二の物理量を表示することにより、複数の物理量を視認性良く表示することができる。
【図面の簡単な説明】
【００１１】
【図１】本発明の実施形態を示す正面図。
【図２】同上実施形態を示すブロック図。
【図３】従来例を示す正面図。
【発明を実施するための形態】
【００１２】
以下、添付図面に基づいて、本発明の一実施形態を説明する。指示計器装置１は、表示器２と、指針３と、制御手段４と、外部情報入力手段５とから構成されている。
【００１３】
表示器２は、ＴＦＴ（Thin Film Transistor）型液晶表示器からなるものであり、指標部２ａ及び指標部２ｂを表示する。表示器２に表示される指標部２ａは車両速度（第一の物理量）を表す数字及び目盛りからなる画像であり、指標部２ｂはエンジン回転数（第二の物理量）を表す数字及目盛りからなる画像である。指標部２ａと指標部２ｂとは同心円状に表示されており、指標部２ａは指標部２ｂよりも径大に表示されている。指標部２ａと指標部２ｂとは、異なる色にて表示される。
【００１４】
指針３は、二等辺三角形状の指示部（第一の指示部）３ａと、この指示部３ａと同形状の指示部（第二の指示部）３ｂとを透光性基材上に形成したものである。指針３の指示部３ａは表示器２に表示された指標部２ａを指示するものであり、指示部３ｂは表示器２に表示された指標部２ｂを指示するものである。指針３の指示部３ａは指標部２ａと同色系になっており、指示部３ｂは指標部２ｂと同色系になっている。指針３は、指示部３ａ及び指示部３ｂが一定方向を指示するように固定されている。
【００１５】
制御手段４は、マイコン６及び駆動回路７からなるものである（図２参照）。マイコン６は、ＣＰＵ６ａ，ＲＯＭ６ｂ，ＲＡＭ６ｃを有しており、外部入力手段５から車両速度データ及びエンジン回転数データを入力して、駆動回路７に制御信号を出力する。制御手段４は、外部入力手段５から入力した車両速度データに基づいて、表示器２に表示される指標部２ａを回動させると共に、外部入力手段５から入力したエンジン回転数データに基づいて、表示器２に表示される指標部２ｂを回動させる。指示計器装置１は、指針３の指示部３ａにて表示器２に表示される指標部２ａを指示することにより車両速度を表示すると共に、指針３の指示部３ｂにて表示器２に表示される指標部２ｂを指示することによりエンジン回転数を表示する。
【００１６】
本実施形態によれば、指標部２ａを指示部３ａにて指示することにより車両速度を表示すると共に、指標部２ｂを指示部３ｂにて指示することによりエンジン回転数を表示することにより、視認性良く車両速度及びエンジン回転数を表示することができる。また、指標部２ａと指示部３ａとを同色系にすると共に、指標部２ｂと指示部３ｂとを同色系にすることにより、更に視認性が良好になる。
【符号の説明】
【００１７】
１    指示計器装置
２    表示器
２ａ  指標部（第一の指標部）
２ｂ  指標部（第二の指標部）
３    指針
３ａ  指示部（第一の指示部）
３ｂ  指示部（第二の指示部）
４    制御手段
【図１】
2010190577.tif 000003
【図２】
2010190577.tif 000004
【図３】
2010190577.tif 000005